(57)【要約】【課題】録画が自動延長された結果、録画が自動延長された録画予約番組の延長部分と他チャンネルの録画予約番組の冒頭部分とが重複し、重複部分においていずれかの録画予約番組の録画が実行できないという事態になることが判明すると、その旨を電子メール以外の通知手段を用いてユーザに通知するデジタル放送記録装置を提供する。【解決手段】デジタル放送の番組を録画予約する録画予約機能と、放送の延長により放送終了時刻が予定よりも遅れる録画予約番組の録画を自動的に延長する機能とを有し、録画が自動延長された結果、録画が自動延長された録画予約番組の延長部分と他チャンネルの録画予約番組の冒頭部分とが重複し、重複部分においていずれかの録画予約番組の録画が実行できないという事態になることが判明すると、その旨を所定の電話番号又はＦＡＸ番号に通知する通知手段（制御部７、モデム９）を備えるＨＤＤレコーダー１００。【選択図】図１
2010220137.tif 000002
【特許請求の範囲】
【請求項１】
デジタル放送の番組を録画予約する録画予約機能と、放送の延長により放送終了時刻が予定よりも遅れる録画予約番組の録画を自動的に延長する機能とを有するデジタル放送記録装置において、
録画が自動延長された結果、録画が自動延長された録画予約番組の延長部分と他チャンネルの録画予約番組の冒頭部分とが重複し、重複部分においていずれかの録画予約番組の録画が実行できないという事態になることが判明すると、その旨を所定の電話番号又はＦＡＸ番号に通知する第１の通知手段を備えることを特徴とするデジタル放送記録装置。
【請求項２】
前記第１の通知手段による通知の後、ユーザの選択結果を受け取り、その受け取ったユーザの選択結果に応じて予約の優先順位を決定する予約優先順位決定手段を備える請求項１に記載のデジタル放送記録装置。
【請求項３】
録画予約番組に放送延長の可能性が有るか否かを判定する第１の判定手段と、
前記第１の判定手段により放送延長が有ると判定された録画予約番組の放送が放送延長無く終了すると、その旨を所定の電話番号又はＦＡＸ番号に通知する第２の通知手段とを備える請求項１又は請求項２に記載のデジタル放送記録装置。
【請求項４】
録画予約の設定通りでは、複数の録画予約番組間の重複部分においていずれかの録画予約番組の録画が実行できないか否かを判定する第２の判定手段と、
前記第２の判定手段により録画予約の設定通りでは、複数の録画予約番組間の重複部分においていずれかの録画予約番組の録画が実行できないと判定された場合に、前記重複部分の開始直前になると、前記重複部分の開始直前である旨を所定の電話番号又はＦＡＸ番号に通知する第３の通知手段とを備える請求項１〜３のいずれか１項に記載のデジタル放送記録装置。
【発明の詳細な説明】
【技術分野】
【０００１】
本発明は、デジタル放送の記録を行うデジタル放送記録装置に関し、特にデジタル放送の番組を録画予約する録画予約機能を有するデジタル放送記録装置に関する。
【背景技術】
【０００２】
デジタル放送の記録を行うデジタル放送記録装置は、通常、番組を録画予約する録画予約機能を有しており、録画予約の際に、ユーザが録画を希望する番組のチャンネル番号と、ユーザが録画を希望する番組の放送開始予定時刻と、ユーザが録画を希望する番組の放送終了予定時刻とを関連付けて内部の不揮発性メモリに記憶し、内部のタイマにより計時されている現在時刻が上記放送開始予定時刻に到達したときに、ユーザが録画を希望する番組のチャンネル番号に対応する放送局からの番組の録画を開始し、現在時刻が上記放送終了予定時刻に到達したときにその録画を終了している。
【先行技術文献】
【特許文献】
【０００３】
【特許文献１】特開２００６−２２９４９３号公報
【特許文献２】特開２００２−１６８８９号公報
【発明の概要】
【発明が解決しようとする課題】
【０００４】
ところで、スポーツ中継番組などでは、放送の延長により放送終了時刻が予定よりも遅れることがある。デジタル放送は、ＥＰＧ（Electronic Program Guide）情報の更新により、放送局からデジタル放送記録装置に番組の延長情報が送られてくることになるので、デジタル放送記録装置の中には、放送の延長により放送終了時刻が予定よりも遅れる録画予約番組の録画を自動的に延長する機能を有するものもある。
【０００５】
しかしながら、録画が自動延長された結果、録画が自動延長された録画予約番組の延長部分と他チャンネルの録画予約番組の冒頭部分とが重複し、重複部分においていずれかの録画予約番組の録画が実行できないという事態が生じることがあった。
【０００６】
このため、上記のような事態になることが判明すると、その旨を電子メールでユーザに通知し、その通知を受け取ったユーザがどの録画予約番組を優先するかを選択し、その選択内容に応じた録画を行うデジタル放送記録装置（例えば、特許文献１及び特許文献２参照）が提案されているが、その通知の具体的な手段は電子メールに限られていた。
【０００７】
本発明は、上記の状況に鑑み、録画が自動延長された結果、録画が自動延長された録画予約番組の延長部分と他チャンネルの録画予約番組の冒頭部分とが重複し、重複部分においていずれかの録画予約番組の録画が実行できないという事態になることが判明すると、その旨を電子メール以外の通知手段を用いてユーザに通知するデジタル放送記録装置を提供して技術の豊富化を図ることを目的とする。
【課題を解決するための手段】
【０００８】
上記目的を達成するために本発明に係るデジタル放送記録装置は、デジタル放送の番組を録画予約する録画予約機能と、放送の延長により放送終了時刻が予定よりも遅れる録画予約番組の録画を自動的に延長する機能とを有し、録画が自動延長された結果、録画が自動延長された録画予約番組の延長部分と他チャンネルの録画予約番組の冒頭部分とが重複し、重複部分においていずれかの録画予約番組の録画が実行できないという事態になることが判明すると、その旨を所定の電話番号又はＦＡＸ番号に通知する第１の通知手段を備えている。
【０００９】
このような構成によると、録画が自動延長された結果、録画が自動延長された録画予約番組の延長部分と他チャンネルの録画予約番組の冒頭部分とが重複し、重複部分においていずれかの録画予約番組の録画が実行できないという事態になることが判明すると、その旨を所定の電話番号又はＦＡＸ番号に通知するので、録画が自動延長された結果、録画が自動延長された録画予約番組の延長部分と他チャンネルの録画予約番組の冒頭部分とが重複し、重複部分においていずれかの録画予約番組の録画が実行できないという事態になることが判明すると、その旨を電子メール以外の通知手段を用いてユーザに通知することができる。
【００１０】
また、上記構成のデジタル放送記録装置において、前記第１の通知手段による通知の後、ユーザの選択結果を受け取り、その受け取ったユーザの選択結果に応じて予約の優先順位を決定する予約優先順位決定手段を備えることが望ましい。
【００１１】
また、上記いずれかの構成のデジタル放送記録装置において、録画予約番組に放送延長の可能性が有るか否かを判定する第１の判定手段と、前記第１の判定手段により放送延長が有ると判定された録画予約番組の放送が放送延長無く終了すると、その旨を所定の電話番号又はＦＡＸ番号に通知する第２の通知手段とを備えるようにしてもよい。
【００１２】
このような構成によると、ユーザは、放送延長の可能性が有る録画予約番組に関して、実際に放送延長があったか否かを迅速且つ確実に認識することができる。
【００１３】
また、上記いずれかの構成のデジタル放送記録装置において、録画予約の設定通りでは、複数の録画予約番組間の重複部分においていずれかの録画予約番組の録画が実行できないか否かを判定する第２の判定手段と、前記第２の判定手段により録画予約の設定通りでは、複数の録画予約番組間の重複部分においていずれかの録画予約番組の録画が実行できないと判定された場合に、前記重複部分の開始直前になると、前記重複部分の開始直前である旨を所定の電話番号又はＦＡＸ番号に通知する第３の通知手段とを備えるようにしてもよい。
【００１４】
このような構成によると、ユーザは、当該重複部分の開始直前における自己の意思や状況に応じて予約の優先順位を決定することができるので、利便性が向上する。
【発明の効果】
【００１５】
本発明に係るデジタル放送記録装置によると、録画が自動延長された結果、録画が自動延長された録画予約番組の延長部分と他チャンネルの録画予約番組の冒頭部分とが重複し、重複部分においていずれかの録画予約番組の録画が実行できないという事態になることが判明すると、その旨を所定の電話番号又はＦＡＸ番号に通知するので、録画が自動延長された結果、録画が自動延長された録画予約番組の延長部分と他チャンネルの録画予約番組の冒頭部分とが重複し、重複部分においていずれかの録画予約番組の録画が実行できないという事態になることが判明すると、その旨を電子メール以外の通知手段を用いてユーザに通知することができる。
【図面の簡単な説明】
【００１６】
【図１】は、本発明に係るデジタル放送記録装置の一概略構成例を示す図である。
【図２】は、本発明に係るデジタル放送記録装置の録画予約に関連する動作を示すフローチャートである。
【図３】は、２番組同時録画を行う録画予約の例を示す図である。
【図４】は、２番組同時録画を行う録画予約の他の例を示す図である。
【図５】は、本発明に係るデジタル放送記録装置の録画予約に関連する他の動作を示すフローチャートである。
【図６】は、本発明に係るデジタル放送記録装置の録画予約に関連する更に他の動作を示すフローチャートである。
【発明を実施するための形態】
【００１７】
本発明の実施形態について図面を参照して以下に説明する。本発明に係るデジタル放送記録装置の一概略構成例を図１に示す。
【００１８】
図１に示す本発明に係るデジタル放送記録装置は、２番組同時録画可能な日本向けハイビジョン録画対応ＨＤＤ（Hard Disk Drive）レコーダー１００であって、ＵＨＦ帯受信用アンテナ１０１、衛星デジタル放送受信用アンテナ１０２、及び表示装置１０３が接続されている。また、ＨＤＤレコーダー１００はリコモン送信機（不図示）によって遠隔操作される。
【００１９】
ＨＤＤレコーダー１００は、ＵＨＦ入力端子Ｔ１と、ＣＳ／ＢＳ−ＩＦ入力端子Ｔ２と、日本の地上デジタル放送及び衛星デジタル放送の受信が可能な第１の地上デジタル／ＢＳ／ＣＳチューナ１（以下、第１のチューナ１という）と、日本の地上デジタル放送及び衛星デジタル放送の受信が可能な第２の地上デジタル／ＢＳ／ＣＳチューナ２（以下、第２のチューナ２という）と、信号処理部３と、ＯＳＤ（On Screen Display）部４と、ＨＤＭＩ（High Definition Multimedia Interface）送信部５と、ＨＤＤ記録再生部６と、制御部７と、不揮発性メモリ８と、電話回線に接続するためのモデム９と、受光部１０と、ＨＤＭＩ端子Ｔ３と、電話回線端子Ｔ４とを備えている。
【００２０】
ＵＨＦ入力端子Ｔ１には、ＵＨＦ帯受信用アンテナ１０１によって受信された地上デジタル放送信号が入力される。一方、ＣＳ／ＢＳ−ＩＦ入力端子Ｔ２には、衛星デジタル放送受信用アンテナ１０２によって受信され、衛星デジタル放送受信用アンテナ１０２に付属するＬＮＢ（Low Noise Block Converter）によって周波数変換された衛星デジタル放送中間周波（ＣＳ／ＢＳ−ＩＦ）信号が入力される。
【００２１】
第１のチューナ１及び第２のチューナ２はそれぞれ、ＵＨＦ入力端子Ｔ１から地上デジタル放送信号を受け取り、ＣＳ／ＢＳ−ＩＦ入力端子Ｔ２から衛星デジタル放送中間周波（ＣＳ／ＢＳ−ＩＦ）信号を受け取り、デジタル放送信号の選局及び復調を行う。
【００２２】
信号処理部３は、制御部７からの指示に基づいて、第１のチューナ１又は第２のチューナ２から受け取った映像音声信号を、ハイビジョン画質（ＨＤ画質）のまま又は標準画質（ＳＤ画質）に変換してから、ＨＤＤ記録再生部６に送ったり、第１のチューナ１若しくは第２のチューナ２から受け取った映像音声信号又はＨＤＤ記録再生部６で再生された映像音声信号をＨＤＭＩ送信部５に送ったり、第１のチューナ１又は第２のチューナ２の出力信号からＥＰＧ情報を抽出して制御部７に送ったりする。
【００２３】
ＯＳＤ部４は、制御部７からの指示に基づいて生成したＯＳＤ画像データをＨＤＭＩ送信部５に送る。ＨＤＭＩ送信部５は、映像音声信号及びＯＳＤ画像データをＨＤＭＩ端子Ｔ３に送る。
【００２４】
ＨＤＤ記録再生部６は、制御部７からの指示に基づいて、信号処理部３から受け取った映像音声信号をハードディスクに記録したり、ハードディスクに記録されている映像音声信号を再生したりする。
【００２５】
受光部１０は、リモコン送信機（不図示）から送信されたリモコン赤外線信号を受光して電気信号に変換し、さらにその電気信号から操作コードを抽出して制御部７に出力する。制御部７は、不揮発性メモリ８に格納されている制御プログラム及び各種設定（例えば、各操作コードと各機能との対応関係を示すデータテーブル等）と、受光部１０から受け取った操作コードと、ＨＤＤレコーダー１００本体に設けられている操作キー群（不図示）から出力される信号によって定まる操作コードとに応じて、ＨＤＤレコーダー１００の各部を制御する。
【００２６】
ユーザは、リモコン送信機（不図示）やＨＤＤレコーダー１００本体に設けられている操作キー群を操作することにより、録画予約の設定を行うことができる。録画予約の設定がなされると、制御部７は、ユーザが録画を希望する番組のチャンネル番号と、ユーザが録画を希望する番組の放送開始予定時刻と、ユーザが録画を希望する番組の放送終了予定時刻とを関連付けて不揮発性メモリ８に記憶させる。なお、ＨＤＤレコーダー１００は、放送の延長により放送終了時刻が予定よりも遅れる録画予約番組の録画を自動的に延長する機能を有している。
【００２７】
以下、ＨＤＤレコーダー１００の録画予約に関連する動作について図２に示すフローチャートを参照して説明する。図２に示すフローチャートの動作は、録画予約の設定がなされたのち周期的に行われる。
【００２８】
図２に示すフローチャートの動作において、まず、制御部７は、ＥＰＧ情報の更新内容を確認して、録画予約番組の放送延長が有るか否かを判定する（ステップＳ１０）。
【００２９】
録画予約番組の放送延長が無ければ（ステップＳ１０のＮＯ）、図２に示すフローチャートの動作を終了する。一方、録画予約番組の放送延長が有れば（ステップＳ１０のＹＥＳ）、制御部７は、録画が自動延長された結果、録画が自動延長された録画予約番組の延長部分と他チャンネルの録画予約番組の冒頭部分とが重複し、重複部分においていずれかの録画予約番組の録画が実行できないという事態が生じることになるか否かを判定する（ステップＳ２０）。
【００３０】
例えば、２番組同時録画を行う録画予約を行っている場合、図３（ａ）に示すような録画予約設定であれば、録画予約番組Ａの放送が延長されると、図３（ｂ）に示す重複部分ＯＬ１で録画予約番組Ａと録画予約番組Ｂのいずれかが録画できず、図４（ａ）に示すような録画予約設定であれば、録画予約番組Ａ及び録画予約番組Ｃの放送が延長されると、図４（ｂ）に示す重複部分ＯＬ１で録画予約番組Ａと録画予約番組Ｂのいずれかが録画できず、図４（ｂ）に示す重複部分ＯＬ２で録画予約番組Ｃと録画予約番組Ｄのいずれかが録画できない。
【００３１】
重複部分においていずれかの録画予約番組の録画が実行できないという事態が生じることになると判定されなかった場合（ステップＳ２０のＮＯ）、図２に示すフローチャートの動作を終了する。一方、重複部分においていずれかの録画予約番組の録画が実行できないという事態が生じることになると判定された場合（ステップＳ２０のＹＥＳ）、制御部７は、モデム９を制御し、不揮発性メモリ８に予め記憶されている所定の電話番号又はＦＡＸ番号に、録画が自動延長された結果、録画が自動延長された録画予約番組の延長部分と他チャンネルの録画予約番組の冒頭部分とが重複し、重複部分においていずれかの録画予約番組の録画が実行できないという事態が生じることになった旨の音声メッセージ又は定型文を通知する（ステップＳ３０）。なお、当該通知には、録画の自動延長により重複する録画予約番組に関する情報（例えば番組名）も含まれるようにすることが望ましい。
【００３２】
ステップＳ３０に続くステップＳ４０では、制御部７は、ユーザの選択結果に応じて予約の優先順位を決定し、その後図２に示すフローチャートの動作を終了する。ステップＳ３０での通知が電話音声通知の場合、制御部７は例えばユーザによる電話機のキー操作に基づくトーン信号を受信して、その受信したトーン信号によりユーザの選択結果を把握する。また、ステップＳ３０での通知がＦＡＸ通知の場合、制御部７は例えばユーザからの電子メールを受信して、その受信した電子メールの内容によりユーザの選択結果を把握する。なお、ステップＳ３０での通知から所定時間経過してもユーザからの返信が無い場合は、ユーザの選択結果を把握することができないので、デフォルト設定の優先順位を採用するようにするとよい。
【００３３】
また、ＨＤＤレコーダー１００が、録画予約に関連する動作として、図２に示すフローチャートの動作の他に、図５に示すフローチャートの動作も行うようにしてもよい。図５に示すフローチャートの動作は、録画予約の設定がなされたのち周期的に行われ、且つ、録画予約番組毎に行われる。
【００３４】
図５に示すフローチャートの動作において、まず、制御部７は、録画予約番組に放送延長の可能性が有るか否かを判定する（ステップＳ１１０）。例えば、ＥＰＧ情報の録画予約番組部分に「延長」、「完全中継」などの語句データがある場合に、放送延長の可能性が有ると判定するとよい。
【００３５】
録画予約番組に放送延長の可能性が無ければ（ステップＳ１１０のＮＯ）、図５に示すフローチャートの動作を終了する。一方、録画予約番組に放送延長の可能性が有れば（ステップＳ１１０のＹＥＳ）、制御部７は、ＥＰＧ情報の更新内容を確認して、録画予約番組の放送延長が有るか否かを判定する（ステップＳ１２０）。
【００３６】
録画予約番組の放送延長が有ると判定された場合（ステップＳ１２０のＹＥＳ）、図５に示すフローチャートの動作を終了する。一方、録画予約番組の放送延長が無いと判定された場合（ステップＳ１２０のＮＯ）、制御部７は、録画予約番組の録画が終了したか否かを判定する（ステップＳ１３０）。
【００３７】
録画予約番組の録画が終了していないと判定された場合（ステップＳ１３０のＮＯ）、ステップＳ１２０に戻る。一方、録画予約番組の録画が終了したと判定された場合（ステップＳ１３０のＹＥＳ）、制御部７は、モデム９を制御し、不揮発性メモリ８に予め記憶されている所定の電話番号又はＦＡＸ番号に、録画予約番組の放送延長がなかった旨の音声メッセージ又は定型文を通知し（ステップＳ１４０）、その後図５に示すフローチャートの動作を終了する。
【００３８】
図５に示すフローチャートの動作により、ユーザは、放送延長の可能性が有る録画予約番組に関して、実際に放送延長があったか否かを迅速且つ確実に認識することができる。
【００３９】
また、ＨＤＤレコーダー１００が、録画予約に関連する動作として、図２に示すフローチャートの動作の他に、図６に示すフローチャートの動作も行うようにしてもよい。図６に示すフローチャートの動作は、録画予約の設定がなされたのち周期的に行われる。なお、図６に示すフローチャートの動作は、図５に示すフローチャートの動作と併せて行われてもよい。
【００４０】
図６に示すフローチャートの動作において、まず、制御部７は、録画予約の設定通りでは、複数の録画予約番組間の重複部分においていずれかの録画予約番組の録画が実行できないか否かを判定する（ステップＳ２１０）。
【００４１】
録画予約の設定通りでは、複数の録画予約番組間の重複部分においていずれかの録画予約番組の録画が実行できないと判定されない場合（ステップＳ２１０のＮＯ）、図６に示すフローチャートの動作を終了する。一方、録画予約の設定通りでは、複数の録画予約番組間の重複部分においていずれかの録画予約番組の録画が実行できないと判定された場合（ステップＳ２１０のＹＥＳ）、制御部７は、自己のタイマにより計時されている現在時刻を確認し、当該重複部分の開始直前であるか否か（例えば当該重複部分の開始５分前を切っているか否か）を判定する（ステップＳ２２０）。
【００４２】
当該重複部分の開始直前でなければ（ステップＳ２２０のＮＯ）、図６に示すフローチャートの動作を終了する。一方、当該重複部分の開始直前であれば（ステップＳ２２０のＹＥＳ）、制御部７は、モデム９を制御し、不揮発性メモリ８に予め記憶されている所定の電話番号又はＦＡＸ番号に、当該重複部分の開始直前である旨の音声メッセージ又は定型文を通知する（ステップＳ２３０）。
【００４３】
ステップＳ２３０に続くステップＳ２４０では、制御部７は、ユーザの選択結果に応じて予約の優先順位を決定し、その後図６に示すフローチャートの動作を終了する。ステップＳ２３０での通知が電話音声通知の場合、制御部７は例えばユーザによる電話機のキー操作に基づくトーン信号を受信して、その受信したトーン信号によりユーザの選択結果を把握する。また、ステップＳ２３０での通知がＦＡＸ通知の場合、制御部７は例えばユーザからの電子メールを受信して、その受信した電子メールの内容によりユーザの選択結果を把握する。なお、ステップＳ２３０での通知から所定時間経過してもユーザからの返信が無い場合は、ユーザの選択結果を把握することができないので、デフォルト設定の優先順位を採用するようにするとよい。
【００４４】
図６に示すフローチャートの動作により、ユーザは、当該重複部分の開始直前における自己の意思や状況に応じて予約の優先順位を決定することができるので、利便性が向上する。例えば、重複している録画予約番組の一方を携帯端末によりワンセグ放送で視聴できている状況である場合には、ワンセグ放送で視聴できている録画予約番組の優先順位を下げるような選択をすればよい。
【符号の説明】
【００４５】
１  第１の地上デジタル／ＢＳ／ＣＳチューナ
２  第２の地上デジタル／ＢＳ／ＣＳチューナ
３  信号処理部
４  ＯＳＤ部
５  ＨＤＭＩ送信部
６  ＨＤＤ記録再生部
７  制御部
８  不揮発性メモリ
９  モデム
１０  受光部
１００  ＨＤＤレコーダー
１０１  ＵＨＦ帯受信用アンテナ
１０２  衛星デジタル放送受信用アンテナ
１０３  表示装置
Ｔ１  ＵＨＦ入力端子
Ｔ２  ＣＳ／ＢＳ−ＩＦ入力端子
Ｔ３  ＨＤＭＩ端子
Ｔ４  電話回線端子
【図１】
2010220137.tif 000003
【図２】
2010220137.tif 000004
【図３】
2010220137.tif 000005
【図４】
2010220137.tif 000006
【図５】
2010220137.tif 000007
【図６】
2010220137.tif 000008